(57)【要約】【課題】エアフィルタの清掃時に塵埃が熱交換器に落下するのを防止し、更には、油分を含んだ塵埃がエアフィルタの裏側へ漉すことのない空気調和機のフィルタ装置を提供する。【解決手段】エアフィルタ１上を左右に移動すると共に移動可能なベルト１２を有する吸引ノズル３と、吸引ノズル３に連通した吸引装置（図示せず）とを備え、ベルト１２に、エアフィルタ１上の塵埃を吸引する吸引口１３と、吸引口１３に近接すると共に塵埃を掃き取る塵埃除去部１５を設け、少なくとも塵埃吸引時に、エアフィルタ１を挟みこむように吸引口１３の対面に塵埃受け皿１７を配置させるもので、吸引ノズル１に設けた吸引口１３近傍の塵埃除去部１５でエアフィルタ１を擦った場合に塵埃を塵埃受け皿１７で受け、熱交換器（図示せず）に落下させることなく、また、塵埃受け皿でエアフィルタ１の裏面を防ぐことにより、裏側へ油分を含んだ塵埃を漉すことを防止することができる。【選択図】図３
2010210166.tif 000002
【特許請求の範囲】
【請求項１】
エアフィルタと、前記エアフィルタ上を左右に移動すると共に移動可能なベルトを有する吸引ノズルと、前記吸引ノズルに連通した吸引装置とを備え、前記ベルトに、前記エアフィルタ上の塵埃を吸引する吸引口と、前記吸引口に近接すると共に塵埃を掃き取る塵埃除去部を設け、少なくとも塵埃吸引時に、前記エアフィルタを挟みこむように前記吸引口の対面に塵埃受け皿を配置させることを特徴とする空気調和機のフィルタ装置。
【請求項２】
塵埃受け皿は、吸引ノズルの移動時に、その往路進行方向に連動して移動して、必ず、前記塵埃受け皿と塵埃除去部とでエアフィルタを挟み込むことを特徴とする請求項１に記載の空気調和機のフィルタ装置。
【請求項３】
塵埃受け皿を、回動可能な複数の分割板で構成し、吸引ノズルの動作時に、前記分割板が回動し、エアフィルタを、塵埃除去部と前記分割板で挟みこむようにしたことを特徴とする請求項１又は２に記載の空気調和機のフィルタ装置。
【請求項４】
吸引ノズルが動作しない時は、分割板を、空気調和機の熱交換器への空気の流入方向と略平行になる位置まで回動させる請求項３に記載の空気調和機のフィルタ装置。
【請求項５】
少なくとも塵埃受け皿の面を弾性体で構成した請求項１〜４のいずれか１項に記載の空気調和機のフィルタ装置。
【請求項６】
エアフィルタ清掃後に、分割板が、熱交換器の上を覆う位置まで回動することを特徴とする請求項３〜５のいずれか１項に記載の空気調和機のフィルタ装置。
【請求項７】
塵埃受け皿の少なくとも表面を酸化チタンまたは銀化合物で形成した請求項１〜６のいずれか１項に記載の空気調和機のフィルタ装置。
【発明の詳細な説明】
【技術分野】
【０００１】
本発明は、空気調和機に内蔵されたエアフィルタの清掃を自動的に行うようにした空気調和機のフィルタ装置に関するものである。
【背景技術】
【０００２】
従来、この種の空気調和機のフィルタ装置は、エアフィルタ上を左右に移動する吸引ノズルと、前記吸引ノズルに上下に移動可能に設けられると共に吸引口を有するベルトと、ベルトに設けた吸引口の近傍に配され弾性体のパッドからなる塵埃除去部を備え、エアフィルタの表面に付着した塵埃を塵埃除去部で擦りながら吸引して除去するようにしたものが提案されている（例えば、特許文献１参照）。
【特許文献１】特開２００７−１０７８２７号公報
【発明の開示】
【発明が解決しようとする課題】
【０００３】
しかしながら、上記特許文献１に記載された従来の空気調和機のフィルタ装置の構成では、エアフィルタを塵埃除去部で擦った際に、細かい塵埃が吸引される前に熱交換機に落下したり、油分を含んだ塵埃をエアフィルタの裏側に漉してしまい、エアフィルタの清掃ができないという課題を有していた。
【０００４】
本発明は、前記従来の課題を解決するもので、エアフィルタの清掃時に、塵埃が熱交換器に落下するのを防止し、更には、油分を含んだ塵埃をエアフィルタの裏側へ漉すことなく吸引清掃が可能な空気調和機のフィルタ装置を提供することを目的とする。
【課題を解決するための手段】
【０００５】
前記従来の課題を解決するために、本発明の空気調和機のフィルタ装置は、エアフィルタと、前記エアフィルタ上を左右に移動すると共に移動可能なベルトを有する吸引ノズルと、前記吸引ノズルに連通した吸引装置とを備え、前記ベルトに、前記エアフィルタ上の塵埃を吸引する吸引口と、前記吸引口に近接すると共に塵埃を掃き取る塵埃除去部を設け、少なくとも塵埃吸引時に、前記エアフィルタを挟みこむように前記吸引口の対面に塵埃受け皿を配置させるもので、吸引ノズルに設けた吸引口近傍の塵埃除去部でエアフィルタを擦った場合に塵埃を塵埃受け皿で受け、熱交換器に落下させることなく吸引清掃が可能となり、また、塵埃受け皿でエアフィルタの裏面を防ぐことにより、裏側へ油分を含んだ塵埃を漉すことを防止することができる。
【発明の効果】
【０００６】
本発明の空機調和機のフィルタ装置は、吸引ノズルに設けた吸引口近傍の塵埃除去部でエアフィルタを擦った場合に塵埃を塵埃受け皿で受け、熱交換器に落下させることなく吸引清掃が可能となり、また、塵埃受け皿でエアフィルタの裏面を防ぐことにより、裏側へ油分を含んだ塵埃を漉すことを防止することが可能となる。
【発明を実施するための最良の形態】
【０００７】
第１の発明は、エアフィルタと、前記エアフィルタ上を左右に移動すると共に移動可能なベルトを有する吸引ノズルと、前記吸引ノズルに連通した吸引装置とを備え、前記ベルトに、前記エアフィルタ上の塵埃を吸引する吸引口と、前記吸引口に近接すると共に塵埃を掃き取る塵埃除去部を設け、少なくとも塵埃吸引時に、前記エアフィルタを挟みこむように前記吸引口の対面に塵埃受け皿を配置させるもので、吸引ノズルに設けた吸引口近傍の塵埃除去部でエアフィルタを擦った場合に塵埃を塵埃受け皿で受け、熱交換器に落下さ
せることなく吸引清掃が可能となり、また、塵埃受け皿でエアフィルタの裏面を防ぐことにより、裏側へ油分を含んだ塵埃を漉すことを防止することができる。
【０００８】
第２の発明は、特に、第１の発明の塵埃受け皿は、吸引ノズルの移動時に、その往路進行方向に連動して移動して、必ず、前記塵埃受け皿と塵埃除去部とでエアフィルタを挟み込むもので、省スペースで良好な清掃性能を発揮することができる。
【０００９】
第３の発明は、特に、第１又は第２の発明の塵埃受け皿を、回動可能な複数の分割板で構成し、吸引ノズルの動作時に、前記分割板が回動し、エアフィルタを、塵埃除去部と前記分割板で挟みこむようにしたもので、吸引時に良好な清掃性能を発揮することができる。
【００１０】
第４の発明は、特に、第３の発明の吸引ノズルが動作しない時は、分割板を、空気調和機の熱交換器への空気の流入方向と略平行になる位置まで回動させるもので、分割板が通風抵抗とならないので、熱交換器への流入風速が低下するのを防ぐことができる。
【００１１】
第５の発明は、特に、第１〜４のいずれか一つの発明の少なくとも塵埃受け皿の面を弾性体で構成したもので、エアフィルタを塵埃除去部と弾性体により、隙間なく挟みこむことが可能となり、それにより良好な清掃性能を発揮することができる。
【００１２】
第６の発明は、第３〜５のいずれか一つの発明のエアフィルタ清掃後に、分割板が、熱交換器の上を覆う位置まで回動するもので、熱交換器への塵埃落下を防止することで、熱交換器への塵埃の堆積を防止することができる。
【００１３】
第7の発明は、特に、第１〜６のいずれか一つの発明の塵埃受け皿の少なくとも表面を酸化チタンまたは銀化合物で形成したもので、室内光あるいは、紫外線を照射するユニットを別にフィルタ前方へ設けるようにすれば、エアフィルタに付着した油分を光触媒効果により分解し、次にフィルタ清掃を実施する際に塵埃清掃を良好に行うことが可能となる。
【００１４】
以下、本発明の実施の形態について、図面を参照しながら説明する。なお、この実施の形態によって本発明が限定されるものではない。
【００１５】
（実施の形態１）
図１は、本発明の実施の形態１における空気調和機のフィルタ装置の斜視図、図２は、同空気調和機のフィルタ装置の吸引ノズルの分解斜視図及び同吸引ノズルの要部断面図（Ａ−Ａ断面）、図３は、同吸引ノズルの動作を説明する図及び同空気調和機のフィルタ装置の断面図、図４は、同空気調和機のフィルタ装置が搭載された空気調和機の概略部分断面図である。
【００１６】
図１において、本実施の形態における空気調和機のフィルタ装置は、空気調和機の熱交換器１８を通過する空気の塵埃を除去すると共に、フィルタ枠２に取り付けられたエアフィルタ１と、エアフィルタ１の表面に沿って左右に移動可能な吸引ノズル３を備えている。吸引ノズル３は、左右駆動装置８とフィルタ枠２の上・下端に設置されたガイドレール４により、エアフィルタ１と狭い間隙を保って円滑に左右に移動することができるようになっている。
【００１７】
吸引ノズル３には、吸引ダクト５が連結され、さらに吸引ダクト５は、吸引装置６に連結されている。吸引ダクト５は、吸引ノズル３の移動に差し支えないように折り曲げ可能なダクトで形成されている。さらに、吸引装置６には、室外へ引き回された排気ダクト７
が連結されている。吸引装置６を動作させることにより、エアフィルタ１に付着した塵埃が、吸引ノズル３により吸引され、吸引ダクト５、吸引装置６、排気ダクト７を経由して室外へ排出されるようになっている。
【００１８】
図２において、吸引ノズル３には、エアフィルタ１の全長に相当する長いスリット状の開口部１１を設け、この開口部１１に沿って駆動可能なベルト１２に吸引口１３を設けることで開口部１１の一部分のみから塵埃を吸引でき、かつ、ベルト１２を駆動して吸引する場所を、上下方向で変えることができるようにしている。
【００１９】
また、ベルト１２は、吸引ノズル本体１０に沿わせるため、吸引ノズル本体１０と一体で形成された（溶着や接着によって一体に形成される）ベルトガイド１４によってガイドされており、ベルト１２のガイドを行なうとともに吸引口１３以外の部分で吸引漏れが発生するのを抑制している。
【００２０】
さらに、ベルト１２の表面の吸引口１３の側方にスポンジやＥＰＴ（エチレンプロピレンゴム）のような弾性体より構成される塵埃除去部１５が固着されており、ベルト１２の駆動により、吸引口１３とともに塵埃除去部１５の位置も変える事ができるようにしている。
【００２１】
上記構成であれば、塵埃の吸引位置と、塵埃除去部１５の位置の可変に必要な駆動装置は、ベルト１２の駆動装置だけで済むので構成が簡単であり、低コストで実現することができ、かつ、吸引口１３と塵埃除去部１５との相対的位置関係を常に一定に維持することができる。
【００２２】
ここで、塵埃除去部１５の高さＨは、エアフィルタ１のたわみ量も考慮し、塵埃除去部１５とエアフィルタ１が十分に接触でき、若干圧縮された状態になるような高さに設定しており、さらに、図３に示すように、エアフィルタ１を挟み塵埃除去部１５の対面に塵埃受け皿１７を配置することで、更に確実に塵埃除去部１５をエアフィルタ１に接触をさせることが可能となる。
【００２３】
また、塵埃受け皿１７は、吸引ノズル３と連動し動作することで、最小限の範囲でエアフィルタ１を挟み込み、清掃効果を向上させることが可能となる。
【００２４】
また、図４で示すように、塵埃受け皿１７を回動可能な分割板で構成し、吸引ノズル３の動作時に塵埃受け皿１７を回動させ、エアフィルタ１を挟み込むようにすれば、清掃効果を向上させることが可能となる。
【００２５】
また、吸引ノズル３停止時で、空気調和機が動作している際には、塵埃受け皿１７は、空気調和機の熱交換器１８に流入する風向と平行をなす位置に停止し、通風抵抗とならない構成をとることで性能低下を防止することができる。
【００２６】
また、空気調和機を長期間使用しない場合は、分割された各塵埃受け皿１７を、エアフィルタ１側に回動させておくようにすれば、熱交換器１８への塵埃落下を防止することができる。また、塵埃受け皿１７の少なくとも表面の材料に酸化チタンや銀化合物を使用することで光触媒効果により、堆積する塵埃の油分を分解し、空気調和機を再使用する際にフィルタ清掃を行うとき、良好な清掃効果を得ることが可能となる。
【産業上の利用可能性】
【００２７】
以上のように、本発明の空気調和機のフィルタ装置は、塵埃除去部でエアフィルタを擦った場合に塵埃を塵埃受け皿で受け、熱交換器に落下させることなく吸引清掃が可能とな
り、また、塵埃受け皿でエアフィルタの裏面を防ぐことにより、裏側へ油分を含んだ塵埃を漉すことを防止する構成をとることにより、塵埃に対して高い清掃性能を確保することができるため、エアフィルタのメンテナンスを不要にすることができ、家庭用や業務用の空気調和機や空気清浄機など塵埃を捕集するエアフィルタを備えた各種装置のフィルタ自動清掃の用途に適用できる。
【図面の簡単な説明】
【００２８】
【図１】本発明の実施の形態１における空気調和機のフィルタ装置の斜視図
【図２】（ａ）同空気調和機のフィルタ装置の吸引ノズルの分解斜視図（ｂ）同吸引ノズルの要部断面図（Ａ−Ａ断面）
【図３】（ａ）同吸引ノズルの動作を説明する図（ｂ）同空気調和機のフィルタ装置の断面図
【図４】同空気調和機のフィルタ装置が搭載された空気調和機の概略部分断面図
【符号の説明】
【００２９】
１  エアフィルタ
２  フィルタ枠
３  吸引ノズル
４  ガイドレール
５  吸引ダクト
６  吸引装置
７  排気ダクト
８  左右駆動装置
１０  吸引ノズル本体
１１  開口部
１２  ベルト
１３  吸引口
１５  塵埃除去部
１７  塵埃受け皿
１８  熱交換器
【図１】
2010210166.tif 000003
【図２】
2010210166.tif 000004
【図３】
2010210166.tif 000005
【図４】
2010210166.tif 000006